(57)【要約】      （修正有）【課題】姿勢によらず回転のバランスを向上させることができる自動平衡装置、回転駆動装置及びディスク駆動装置を提供する。【解決手段】収容部材１３の側壁１３ｂから収容部材１３の中心側へ突出するように壁板１４が設けられているので、収容部材１３の回転時にバランサ１１の回転周方向の流れを阻止することができる。したがって、例えばディスクＤの回転時の振動の振幅が比較的小さくても、壁板１４により収容部材１３の中で局所的に集められたバランサ１１によって平衡状態を確保することができる。また、壁板１４が、側壁１３ｂから直線Ｌ１に沿って斜めに延びるように設けられている。したがって、例えば自動平衡装置１０が垂直姿勢に保たれる場合に、回転低下の惰性を利用して、壁板１４によってバランサ１１が所定の高さまで運ばれ、その高さ位置から自重により落ちることで、マグネット１７にバランサ１１を保持させることができる。【選択図】図１
2006144941.tif 000002
【特許請求の範囲】
【請求項１】
磁性を帯びた流体のバランサと、
回転可能に設けられ、外周側に側壁を有し、前記バランサを内部に収容する収容部材と、
前記収容部材に一体的に回転可能に設けられ、前記収容部材の少なくとも回転の中心側に設けられたマグネットと、
前記側壁から前記中心側へ突出するように、かつ、少なくとも一部が前記収容部材の回転径方向とは異なる方向に延びるように設けられた壁板と
を具備することを特徴とする自動平衡装置。
【請求項２】
請求項１に記載の自動平衡装置であって、
前記壁板は、前記中心側であって、当該壁板において前記収容部材の回転によって最も先に進む側に設けられた端部を有することを特徴とする自動平衡装置。
【請求項３】
請求項１に記載の自動平衡装置であって、
前記壁板は、前記側壁から前記中心側に向けて直線状をなすことを特徴とする自動平衡装置。
【請求項４】
請求項１に記載の自動平衡装置であって、
前記壁板は、前記側壁から前記中心側に向けて弧状をなすことを特徴とする自動平衡装置。
【請求項５】
請求項１に記載の自動平衡装置であって、
前記壁板は、前記中心側に端部を有し、
前記マグネットは、前記収容部材の回転中心をほぼ中心として環状をなし、
前記側壁から前記端部までの直線距離が、前記収容部材の回転軸にほぼ垂直な面内で前記直線に直交し前記端部を通る直線の一部が、前記マグネットの最外周より前記中心側を通るような長さであることを特徴とする自動平衡装置。
【請求項６】
請求項１に記載の自動平衡装置であって、
前記壁板は、少なくとも、
前記中心側に向けて前記側壁から第１の角度で突出する第１の壁板と、
前記中心側に向けて前記側壁から前記第１の角度とは異なる第２の角度で突出する第２の壁板とで構成されることを特徴とする自動平衡装置。
【請求項７】
請求項１に記載の自動平衡装置であって、
前記壁板は、前記側壁との間に該側壁に続く曲面を有することを特徴とする自動平衡装置。
【請求項８】
請求項１に記載の自動平衡装置であって、
前記収容部材は、該収容部材の回転軸が地面にほぼ垂直に配置されるときに、前記外周側から前記中心側に向けて低くなる斜面を有する前記バランサの流路を有することを特徴とする自動平衡装置。
【請求項９】
回転駆動部と、
磁性を帯びた流体のバランサと、
前記回転駆動部により回転可能に設けられ、外周側に側壁を有し、前記バランサを内部に収容する収容部材と、
前記収容部材に一体的に回転可能に設けられ、前記収容部材の少なくとも回転の中心側に設けられたマグネットと、
前記側壁から前記中心側へ突出するように、かつ、少なくとも一部が前記収容部材の回転径方向とは異なる方向に延びるように設けられた壁板と
を具備することを特徴とする回転駆動装置。
【請求項１０】
ディスクを回転させるための回転駆動部と、
磁性を帯びた流体のバランサと、
前記回転駆動部により回転可能に設けられ、外周側に側壁を有し、前記バランサを内部に収容する収容部材と、
前記収容部材に一体的に回転可能に設けられ、前記収容部材の少なくとも回転の中心側に設けられたマグネットと、
前記側壁から前記中心側へ突出するように、かつ、少なくとも一部が前記収容部材の回転径方向とは異なる方向に延びるように設けられた壁板と、
前記ディスクのローディングの直前、またはディスクのイジェクトの直後に前記回転駆動部により前記収容部材を回転させるように制御する制御部と
を具備することを特徴とするディスク駆動装置。
【発明の詳細な説明】
【技術分野】
【０００１】
本発明は、回転のバランスを保つための自動平衡装置、この自動平衡装置を搭載した回転駆動装置、及びこの回転駆動装置を搭載したディスク駆動装置に関する。
【背景技術】
【０００２】
近年、例えばデータを記録・再生する光ディスク装置や磁気ディスク装置等のディスク装置では、ディスクがターンテーブル上で回転するときに、回転がアンバランスとなり記録・再生の安定性が低下する場合がある。
【０００３】
ディスクの回転のバランスを向上させるための技術として、磁性流体を収容可能な空間部を有する円板状部材が、モータのモータ軸と一体に回転可能に設けられた技術が開示されている。円板状部材は中央にボス部を有しており、ボス部の側周面にはリングマグネットが設けられている。モータはサブシャーシにより支持され、サブシャーシは弾性部材を介してメインシャーシに支持されている。これにより、モータの回転数が小さいときに、磁性流体をリングマグネットに吸着しておきバランスを崩さないようにしている。モータの回転数が上昇し回転による遠心力が大きくなると磁性流体は回転のバランスをとるように例えば外周側に移動する（例えば、特許文献１参照）。  
【特許文献１】特開平４−３１２２４４号公報（段落[０００６]、図１）
【発明の開示】
【発明が解決しようとする課題】
【０００４】
しかしながら、上記特許文献１の技術では、ディスク装置を垂直姿勢にしたときに、つまりディスクの記録面を地面に対して垂直にしたときに、円板状部材の下部に溜まった磁性流体とリングマグネットとの距離が遠くなるので、磁性流体をリングマグネットに復帰させて保持することが難しい。このため、ディスク装置の姿勢によっては、ディスクの回転のバランスを確保することが難しいという問題がある。また、ディスクの回転中心が偏る向きと略反対向きに磁性流体が遠心力により移動すると、磁性流体が円板状部材の外周に沿うように流れ、磁性流体の偏りがなくなり、小さい振動の振幅で回転のバランスを大きく向上させることが難しいという問題がある。
【０００５】
以上のような事情に鑑み、本発明の目的は、姿勢によらず回転のバランスを向上させることができる自動平衡装置、回転駆動装置及びディスク駆動装置を提供することにある。
【０００６】
本発明のさらなる目的は、ディスクの回転数低下時、または回転の停止時に磁性流体のバランサを所定の位置に確実に復帰させることができるような自動平衡装置、回転駆動装置及びディスク駆動装置を提供することにある。
【課題を解決するための手段】
【０００７】
上記目的を達成するため、本発明に係る自動平衡装置は、磁性を帯びた流体のバランサと、回転可能に設けられ、外周側に側壁を有し、前記バランサを内部に収容する収容部材と、前記収容部材に一体的に回転可能に設けられ、前記収容部材の少なくとも回転の中心側に設けられたマグネットと、前記側壁から前記中心側へ突出するように、かつ、少なくとも一部が前記収容部材の回転径方向とは異なる方向に延びるように設けられた壁板とを具備する。
【０００８】
本発明では、収容部材の側壁から中心側へ突出するように壁板が設けられているので、収容部材の回転時にバランサの回転周方向の流れを阻止することができる。したがって、例えばディスクの回転時の振動の振幅が比較的小さくても、壁板により収容部材の中で局所的に集められたバランサによって平衡状態を確保することができる。また、本発明では、壁板が、側壁から少なくとも一部が収容部材の回転径方向とは異なる方向に延びるように設けられている。したがって、例えば収容部材の回転軸が地面とほぼ平行な姿勢（以下、垂直姿勢という。）に保たれる場合であって、自動平衡装置の作動終了時に収容部材の回転が低下していく場合に、次のように作用効果が得られる。すなわち、この収容部材の回転低下の惰性を利用して、言わば水車のように、壁板によってバランサが所定の高さまで運ばれ、その高さ位置から自重によりバランサが落ちることで、中心側のマグネットによりバランサが保持される。これにより、バランサは初期位置であるマグネットの位置に確実に戻される。
【０００９】
ただし、この場合、壁板が側壁から延びる方向、あるいは、側壁から突出し始める角度が好適に設定されていなければならない。例えば、壁板は、前記中心側であって、当該壁板において収容部材の回転によって最も先に進む側に設けられた端部を有していればよい。これにより、垂直姿勢に保たれる場合、壁板により収容部材の回転中心より高い位置までバランサが運ばれるので、自重で落ちるバランサをマグネットがある初期位置に復帰させやすくすることができる。
【００１０】
本発明において、「少なくとも一部」としたのは、壁板の全部が回転径方向とは異なる方向に向いて延びていなくてもよく、一部が当該回転方向とは異なる方向に向いていればよい、という意味を含めるためである。
【００１１】
本発明の一の形態によれば、前記壁板は、前記側壁から前記中心側に向けて直線状をなしていてもよい。
【００１２】
本発明の一の形態によれば、前記壁板は、前記側壁から前記中心側に向けて弧状をなす。特に、壁板の回転で進む側が曲率中心になるように弧状が形成されることにより、自動平衡装置が垂直姿勢に保たれる場合に、より高くまでバランサを運ぶことができ、確実にバランサを初期位置に復帰させることができる。
【００１３】
本発明の一の形態によれば、前記壁板は、前記中心側に端部を有し、前記マグネットは、前記収容部材の回転中心をほぼ中心として環状をなし、前記側壁から前記端部までの直線距離が、前記収容部材の回転軸にほぼ垂直な面内で前記直線に直交し前記端部を通る直線の一部が、前記マグネットの最外周より前記中心側を通るような長さである。これにより、壁板の端部とマグネットとの距離を極力近づけられるので、より確実にバランサをマグネットに復帰させることができる。この場合、壁板は、直線状、または弧状であってもよい。マグネットは、環状であればよく、一部が切り欠かれていたり、断絶していたりしているものであってもよい。
【００１４】
本発明の一の形態によれば、前記壁板は、少なくとも、前記中心側に向けて前記側壁から第１の角度で突出する第１の壁板と、前記中心側に向けて前記側壁から前記第１の角度とは異なる第２の角度で突出する第２の壁板とで構成される。これにより、垂直姿勢において収容部材の角度を問わずにバランサを初期位置に復帰させることができる。ここでいう角度とは、収容部材の回転軸にほぼ垂直な面を正面に見たときの角度であり、壁板が直線状であろうと、あるいは弧状であろうと、側壁と壁板とが交わる箇所での角度である。
【００１５】
本発明の一の形態によれば、前記壁板は、前記側壁との間に該側壁に続く曲面を有する。壁板と側壁との間の角度が鋭角であればあるほど、バランサの表面張力によって壁板と側壁との間にバランサが吸い込まれる力が強くなる。本発明では、その角部をなくして曲面とすることでその吸い込まれる力を小さくすることができる。その結果、壁板と側壁との間にバランサを残すことなく、効率よくバランサを初期位置に戻すことができる。
【００１６】
本発明の一の形態によれば、前記収容部材は、該収容部材の回転軸が地面にほぼ垂直に配置されるときに、前記外周側から前記中心側に向けて低くなる斜面を有する前記バランサの流路を有する。本発明では、収容部材の回転軸が地面にほぼ垂直な姿勢になるように、自動平衡装置の姿勢が保たれる場合（以下、水平姿勢という。）に有効である。このように自動平衡装置が水平姿勢にあっても、上記流路によってバランサを自重で外周側から中心側へ移動させてマグネットに戻すようにするこができる。
【００１７】
本発明に係る回転駆動装置は、回転駆動部と、磁性を帯びた流体のバランサと、前記回転駆動部により回転可能に設けられ、外周側に側壁を有し、前記バランサを内部に収容する収容部材と、前記収容部材に一体的に回転可能に設けられ、前記収容部材の少なくとも回転の中心側に設けられたマグネットと、前記側壁から前記中心側へ突出するように、かつ、少なくとも一部が前記収容部材の回転径方向とは異なる方向に延びるように設けられた壁板とを具備する。
【００１８】
本発明では、収容部材の側壁から中心側へ突出するように壁板が設けられているので、収容部材の回転時にバランサの回転周方向の流れを阻止することができ、壁板により収容部材の中で局所的に集められたバランサによって平衡状態を確保することができる。また、本発明では、壁板が、側壁から少なくとも一部が収容部材の回転径方向とは異なる方向に延びるように設けられている。したがって、収容部材が垂直姿勢にあっても、回転駆動装置の作動終了時に収容部材の回転が低下していく場合に、確実にバランサをマグネットに戻すことができる。
【００１９】
本発明に係るディスク駆動装置は、ディスクを回転させるための回転駆動部と、磁性を帯びた流体のバランサと、前記回転駆動部により回転可能に設けられ、外周側に側壁を有し、前記バランサを内部に収容する収容部材と、前記収容部材に一体的に回転可能に設けられ、前記収容部材の少なくとも回転の中心側に設けられたマグネットと、前記側壁から前記中心側へ突出するように、かつ、少なくとも一部が前記収容部材の回転径方向とは異なる方向に延びるように設けられた壁板と、前記ディスクのローディングの直前、またはディスクのイジェクトの直後に前記回転駆動部により前記収容部材を回転させるように制御する制御部とを具備する。
【００２０】
本発明では、例えば、制御部が制御する回転駆動部の回転数は、ディスクに信号が記録され、または再生される時の回転数より低速に設定されていればよい。例えば、ディスクの信号記録面が地面に対して垂直な姿勢になるようにディスク駆動装置の姿勢が保たれる場合、収容部材を例えば２００ｒｐｍ、あるいは１００ｒｐｍ以下の回転数で回転させれば、自重によりバランサがマグネットに引き寄せられ初期状態に戻すことができる。この制御部は、例えばハードウェアまたはファームウェア等で構成することができる。
【発明の効果】
【００２１】
以上のように、本発明によれば、姿勢によらず回転のバランスを向上させることができる。また、ディスクの回転数低下時、または回転の停止時に磁性流体のバランサを所定の位置に確実に復帰させることができる。
【発明を実施するための最良の形態】
【００２２】
以下、本発明の実施の形態を図面に基づき説明する。
【００２３】
図１は本発明の第１の実施の形態に係る自動平衡装置の概観斜視図、図２は図１に示す自動平衡装置のＡ−Ａ断面図である。図３は、図１に示す自動平衡装置が搭載されたディスク駆動装置の縦断面図である。
【００２４】
図１及び図２に示すように、本実施形態の自動平衡装置１０は、磁性を帯びた流体でなる図示を省略したバランサ１１と、側壁１３ｂを外周側に備えバランサ１１を内部に収容する収容部材１３と、収容部材１３の回転の中心側に収容部材１３と一体的に回転可能に設けられたマグネット１７と、側壁１３ｂから収容部材１３の中心側へ突出するように設けられた複数の壁板１４とを備えている。
【００２５】
収容部材１３は、中空部Ｇが形成された円板形状であり、収容部材１３の中央部には、図３に示すモータ６１の回転軸部材１６が収容部材１３に挿通される貫通孔１３ａが設けられている。収容部材１３の構成材料には、例えば金属又は樹脂等が用いられている。
【００２６】
壁板１４は、回転径方向ｒとは異なる直線Ｌ１方向に直線状に延びるように設けられている。具体的には、壁板１４は、その端部１４ａが、収容部材１３のＲ方向の回転によって最も先に進む側に位置するように側壁１３ｂに対して斜めに設けられている。その角度θは、例えば１０°〜８０°である。壁板１４は、収容部材１３のＺ方向において略全域に亘って設けられている。
【００２７】
収容部材１３の回転中心をほぼ中心として、収容部材１３の中心側の側周壁１５の周囲には、マグネット１７が環状に設けられている。マグネット１７は、例えばＺ方向で着磁されている。すなわち、マグネット１７のＺ方向の一側がＮ極、他側がＳ極となるように設けられている。マグネット１７は、ディスク駆動装置７０の非作動時または初期の低回転時に、バランサ１１を収容部材１３の中心側に保持することができるように設けられている。
【００２８】
収容部材１３の中空部Ｇには、バランサ１１が収容されている。バランサ１１には、例えば磁性を帯びた磁性流体、または磁気抵抗流体（ＭＲ流体(Magneto-Rheological Fluid)）、磁性イオン液体等が用いられている。
【００２９】
図３に示すように、ディスク駆動装置７０は、モータ６１を有しておりモータ６１の回転軸部材１６の上端部には、光ディスク等の記録媒体Ｄが載置されるターンテーブル６５が設けられている。モータ６１は、例えば駆動電流が流れるコイル６１ａが備えられたステータ６１ｂと、軸受け６１ｃを介して回転可能に設けられたロータ６１ｄと、回転軸部材１６とを備えている。回転軸部材１６には、自動平衡装置１０が装着されている。回転軸部材１６と一体に自動平衡装置１０が回転可能に構成されている。
【００３０】
なお、ディスクＤの情報を再生あるいは記録するための図示を省略した光ピックアップ、光ピックアップをディスクＤの径方向に移動させるためのスレッドモータ等から構成された図示を省略したトラバースモジュール等はサブシャーシ６３上に設けられている。モータ６１等はサブシャーシ６３により支持されサブシャーシ６３はゴム等の高分子材料及び金属製の部材等により構成された弾性部６２を介してメインシャーシ６４に支持され振動系が構成されている。また、メインシャーシ６４上には、ディスクＤをローディング、イジェクトするためのローディングモータ等が設けられた図示しないローディングモジュールが設けられている。
【００３１】
なお、弾性部６２の変形による振動系の共振周波数は、例えば、トラバースモジュールの質量と弾性部６２のバネ定数とをパラメータとしてディスクＤの回転周波数より小さく設定されている。
【００３２】
次に、自動平衡装置１０の動作について図面を参照しながら説明する。
【００３３】
図３に示すように、ターンテーブル６５にディスクＤがセットされ、モータ６１が回転し始めると、振動系が振動し始める。モータ６１の低速回転時には、マグネット１７の磁力等によってマグネット１７がバランサ１１を保持する力を、遠心力が下回り、バランサ１１はマグネット１７に保持されている。
【００３４】
モータ６１の回転数が上昇し、その回転周波数が振動系の共振周波数を超えると、振動系が振動する向きＡ１が、回転中心からディスクＤの偏る向きＡ２と略反対となる。このとき、バランサ１１は振動系が振動する向きＡ１に、その振動による加速度で移動するので、バランサ１１が移動する方向（Ａ１）とディスクＤの偏る向きＡ２とは反対となり、バランスが確保される。向きＡ１と向きＡ２とが略１８０度反対向きとなるように、モータ６１の回転数（例えばディスクＤに記録された信号を再生等するときの回転数）や弾性部６２の材質等を設定することが好ましい。作動時毎にアンバランス量が未知であるディスク駆動装置７０や光ディスク装置用のスピンドルモータ等に自動平衡装置１０は有用である。
【００３５】
更に回転数が上昇すると、バランサ１１を保持する力を遠心力が上回り、遠心力によりバランサ１１がマグネット１７の外側に移動する。バランサ１１の移動は、収容部材１３により阻止される。このように、本実施形態では、収容部材１３の側壁１３ｂから収容部材１３の中心側へ突出するように壁板１４が設けられているので、収容部材１３の回転時にバランサ１１の回転周方向の流れを阻止することができる。したがって、例えばディスクＤの回転時の振動の振幅が比較的小さくても、壁板１４により収容部材１３の中で局所的に集められたバランサ１１によって平衡状態を確保することができる。
【００３６】
例えば、収容部材１３の貫通孔１３ａの軸が地面とほぼ平行な姿勢（以下、垂直姿勢という。）に保たれる場合であって、ディスクＤへの信号の記録または信号再生等が終了するときは、ディスク駆動装置７０では、収容部材１３の回転数が低下していき、収容部材１３は惰性により回転する。ここで、壁板１４は、その端部１４ａが、収容部材１３の回転によって最も先に進む側に位置するように、直線Ｌ１に沿って径方向ｒに対して斜め方向に設けられている。したがって、収容部材１３の回転低下の惰性を利用して、壁板１４によってバランサ１１が所定の高さまで運ばれ、その高さ位置から自重によりバランサ１１が落ちることで、マグネット１７にバランサ１１を保持させることができる。これにより、初期位置であるマグネット１７の位置にバランサ１１を確実に戻すことができる。
【００３７】
特に、自動平衡装置１０は、垂直姿勢で用いられることが多い縦置き型のパーソナルコンピュータの光ディスクドライブ装置、あるいは、姿勢に制限のない光ディスクドライブ型のカメラ等に適している。
【００３８】
図４は、本発明の第２の実施の形態に係る自動平衡装置を示す断面図である。なお、本実施形態以降では、上記実施形態と同じ構成材料等については同じ符号を付しその説明を省略し、異なる箇所を中心に説明する。
【００３９】
本実施の形態に係る収容部材２３において、側壁２３ｂから端部２４ａまでの壁板２４の長さＬは、紙面内で直線Ｌ１に直交し端部２４ａを通る直線Ｌ２の一部が、マグネット１７の最外周面１７ａより収容部材２３の中心側を通るような長さに設定されている。つまり、壁板２４の端部２４ａとマグネット１７との距離が極力近くづけられているので、より確実にバランサ１１をマグネット１７に復帰させることができる。
【００４０】
図５は、本発明の第３の実施の形態に係る自動平衡装置の断面図である。
【００４１】
本実施形態では、自動平衡装置３０は、上記壁板１４及び２４とは形状が異なる壁板３４が設けられた収容部材３３を備えている。これらの壁板３４は、側壁３３ｂから収容部材３３の中心側に向けて弧状をなして設けられている。壁板３４は、壁板３４の回転で進む側が曲率中心になるように弧状に形成されている。これにより、例えば自動平衡装置３０が垂直姿勢に保たれる場合に、より高くまでバランサ１１を運ぶことができ、確実にバランサ１１を初期位置に復帰させることができる。
【００４２】
本実施形態では、壁板３４の形状が例えば円の４分の１の形状を有している例を示したが、例えば円の６分の１の形状を有するように適宜変更してもよい。壁板が、円に限らず楕円状や双曲線状の４分の１の形状を有するようにしてよい。また、収容部材３３の内周面Ｎに対する壁板３４が側壁３３ｂから突出し始める角度は、例えば壁板の長さや壁板の曲率に応じて適宜変更することが好ましい。
【００４３】
図６は、本発明の第４の実施の形態に係る自動平衡装置の断面図である。
【００４４】
本実施の形態に係る収容部材４３の壁板４４は、弧状をなしており、その側壁４３ｂに続く曲面４４ａ、４４ｂを備えている。すなわち、壁板４４と側壁４３ｂ（の内周面Ｎ）とで角が形成されずに、壁板４４と側壁４３ｂ（の内周面Ｎ）とが曲面４４ａ、４４ｂを介して滑らかに接続されている。壁板４４と側壁４３ｂとの間の角度が鋭角であればあるほど、バランサ１１の表面張力によって壁板４４と側壁４３ｂとの間にバランサ１１が吸い込まれる力が強くなる。本実施形態では、壁板４４は側壁４３ｂに続く曲面４４ａ、４４ｂを備えているので、バランサ１１が壁板４４と側壁４３ｂとの間に吸い込まれる力を小さくすることができる。その結果、壁板４４と側壁４３ｂとの間にバランサ１１を残すことなく、効率よくバランサ１１を初期位置に戻すことができる。
【００４５】
なお、本実施形態では、弧状の壁板４４が曲面４４ａ、４４ｂを備えている例を示したが、例えば上記第１の実施形態で示した直線状の壁板１４が側壁１３ｂに続く曲面を備えるようにしてよい。すなわち、壁板１４と側壁１３ｂ（の内周面Ｎ）とが曲面を介して滑らかに接続されるようにしてもよい。この場合にも、同様にバランサ１１を側壁１３ｂと壁板１４との間に残すことなく、効率よく初期位置に戻すことができる。
【００４６】
図７は、本発明の第５の実施の形態に係る自動平衡装置の断面図である。
【００４７】
本実施形態では、自動平衡装置５０は、収容部材１３を備える代りに、それぞれ異なる方向に突出するそれぞれ複数の壁板５４Ａ、５４Ｂを備えた収容部材５３を備えている。壁板５４Ａは、収容部材５３の側壁５３ｂに対して角度θ１で側壁５３ｂから収容部材５３の中心側に向けて突出するように設けられており、壁板５４Ｂは、側壁５３ｂに対して角度θ１とは異なる角度θ２で側壁５３ｂから収容部材５３の中心側に向けて突出するように設けられている。壁板５４Ａと壁板５４Ｂとは、収容部材５３の周方向に沿って交互に設けられている。
【００４８】
本実施形態によれば、自動平衡装置５０の回転方向に依らず、バランサ１１をマグネット１７に復帰させることができる。例えばＲ方向に自動平衡装置５０が回転した後徐々に停止するときには、壁板５４Ａによりバランサ１１をマグネット１７に復帰させることができる。Ｒ方向とは逆方向に回転した後停止するときには、壁板５４Ｂによりバランサ１１をマグネット１７に復帰させることができる。
【００４９】
なお、本実施形態では、壁板５４Ａ及び壁板５４Ｂがそれぞれ交互に設けられている例を示した。しかし、例えばそれぞれ複数個ずつ交互に設けるようにしてもよい。
【００５０】
図８は本発明の第６の実施の形態に係る自動平衡装置の断面図である。
【００５１】
本実施形態では、自動平衡装置６０は、上記収容部材１３を備えており、収容部材１３の内部に、バランサ１１の流路Ｐを形成する流路形成部材６７が収容されている。流路形成部材６７は、収容部材１３の外周側から中心側に向けて収容部材１３の底面１３Ｂに近づく斜面Ｒ１と、収容部材１３の外周側から中心側に向けて収容部材１３の表面１３Ａに近づく斜面Ｒ２とを備えている。斜面Ｒ１、Ｒ２は、収容部材１３の回転軸の全周に亘って設けられている。これにより、自動平衡装置６０が水平姿勢にあっても、流路Ｐによって、つまり斜面Ｒ１によって、バランサ１１を自重により収容部材１３の外周側から中心側へ移動させてマグネット１７に復帰するようにするこができる。
【００５２】
なお、斜面Ｒ１、Ｒ２の傾斜角度は、図示した傾斜角度に限定されず、バランサ１１の特性やモータ６１の回転数等に応じて適宜変更することが好ましい。また、本実施形態では、斜面Ｒ１、Ｒ２が平面状である例を示したが、斜面Ｒ１、Ｒ２を凹面状又は凸面状とするようにしても同様の効果を得ることができる。
【００５３】
本発明は以上説明した実施形態には限定されるものではなく、種々の変形が可能である。
【００５４】
例えば、上記第１の実施形態において、ディスクＤのローディングの直前、またはディスクＤのイジェクトの直後に、図示を省略した制御部によりモータ６１の回転数を制御し収容部材１３を回転させるようにしてもよい。このとき制御部が制御するモータ６１の回転数は、ディスクＤに信号が記録され、または再生される時の回転数より低速に設定されていればよい。具体的には、例えば上記制御部は、ディスクのローディング信号をトリガーに、スピンドルモータに所定の通電をして、自動平衡装置１０を例えば２００ｒｐｍ以下、あるいは１００ｒｐｍ以下の回転数で回転させ、バランサをマグネットへと確実に戻すようにしてもよい。その後、ユーザによりディスクがターンテーブル６５に載置され、ローディングされるようにすればよい。これにより、光ディスク駆動装置の未使用時に不意の衝撃等によりバランサがマグネットから飛散しているときでも、確実にバランサをマグネットに復帰させた後にモータを作動させることができる。
【００５５】
また、上記各実施形態では、収容部材１３等の中心側で中空部Ｇ内にマグネット１７が設けられている例を示した。しかし、ディスク駆動装置７０の非作動時にバランサ１１を収容部材１３の中心側に保持することができれば、例えば図８に示すように、マグネットを収容部材１３の表面１３Ａ又は底面１３Ｂの中心側に外付けして設けると共に、収容部材１３の構成材料に樹脂等の非磁性材料を用いるようにしてもよい。このようにしても収容部材１３の外部に設けられたマグネットの磁束が収容部材の内部にまで及ぶので、収容部材を介してマグネットにバランサを保持することができる。
【図面の簡単な説明】
【００５６】
【図１】本発明の第１の実施の形態に係る自動平衡装置の概観斜視図である。
【図２】図１に示す自動平衡装置のＡ−Ａ断面図である。
【図３】図１に示す自動平衡装置が搭載されるディスク駆動装置の縦断面図である。
【図４】本発明の第２の実施の形態に係る自動平衡装置の断面図である。
【図５】本発明の第３の実施の形態に係る自動平衡装置の断面図である。
【図６】本発明の第４の実施の形態に係る自動平衡装置の断面図である。
【図７】本発明の第５の実施の形態に係る自動平衡装置の断面図である。
【図８】本発明の第６の実施の形態に係る自動平衡装置の断面図である。
【符号の説明】
【００５７】
１１…バランサ
１３、２３、３３、４３、５３…収容部材
１３ｂ、２３ｂ、３３ｂ、４３ｂ、５３ｂ…側壁
１４、２４、３４、４４、５４Ａ、５４Ｂ…壁板
１４ａ、２４ａ…端部
１７…マグネット
１０、２０、３０、４０、５０、６０…自動平衡装置
４４ａ、４４ｂ…曲面
Ｐ…流路
６１…モータ
７０…ディスク駆動装置
【図１】
2006144941.tif 000003
【図２】
2006144941.tif 000004
【図３】
2006144941.tif 000005
【図４】
2006144941.tif 000006
【図５】
2006144941.tif 000007
【図６】
2006144941.tif 000008
【図７】
2006144941.tif 000009
【図８】
2006144941.tif 000010